【手続補正書】
【提出日】平成23年6月30日(2011.6.30)
【手続補正１】
【補正対象書類名】特許請求の範囲
【補正対象項目名】全文
【補正方法】変更
【補正の内容】
【特許請求の範囲】
【請求項１】
画像形成ユニットの作像部を支持する前側板と後側板と、横断面がコの字状でコの字の開放部が向き合うよう配置される一対の支柱と、該支柱を支持する、装置本体下部に設けられた支持部材とを備え、該支柱により該前側板の両端を位置決め支持するとともに、該支柱を介して該前側板を該支持部材に固定することにより該作像部を位置決めすることを特徴とする画像形成装置の構造体。
【請求項２】
請求項１の構造体において、上記前側板の端部を上記支柱の該前側板と平行な面と垂直な面とから固定することを特徴とする構造体。
【請求項３】
請求項２の構造体において、上記前側板は外周がフランジ絞りされており、上記支柱の該前側板と垂直な面を該フランジ絞りの側壁部に固定することを特徴とする構造体。
【請求項４】
請求項３の構造体において、上記支柱のコの字状の断面積が、上記前側板の支持部より上記支持部材への固定部近傍で大きくなるよう構成したことを特徴とする構造体。
【請求項５】
請求項４の構造体において、上記支柱が上記前側板の両端部を包み込むよう配置されることを特徴とする構造体。
【請求項６】
請求項５の構造体において、装置本体を支持し、上記支柱の側面を通して引出し可能な取手を設け、該取手を引出して力をかける時に該支柱側面が支点となるよう該取手を配置したことを特徴とする構造体。
【請求項７】
請求項５または６の構造体において、上記支柱の側面で外装の位置決めを行うことを特徴とする構造体。
【請求項８】
請求項５、６または７の何れかの構造体において、上記支柱の前面で給紙トレイ前部の位置決めを行うことを特徴とする構造体。
【請求項９】
請求項５、６、７または８の何れかの構造体において、上記支柱の前面で給紙トレイをスライドさせる給紙レールの位置決めを行うことを特徴とする構造体。
【請求項１０】
請求項５、６、７、８または９の何れかの構造体において、上記支持部材上の、上記支柱のコの字状の開放部近傍にゴム足を設けることを特徴とする構造体。
【請求項１１】
請求項５、６、７、８、９または１０の何れかの構造体において、上記支柱が上記支持部材に配設された支柱固定部材を介して締結されることを特徴とする構造体。
【請求項１２】
請求項１１の構造体において、上記支柱固定部材は上記支持部材のゴム足を設ける穴の上部を覆っていることを特徴とする構造体。
【請求項１３】
請求項１、２、３、４、５、６、７、８、９、１０、１１または１２の何れかの構造体において、上記支持部材は上記後側板を支持することを特徴とする構造体。
【請求項１４】
請求項１、２、３、４、５、６、７、８、９、１０、１１、１２または１３の何れかの構造体において、上記支持部材は装置本体ベースであることを特徴とする構造体。
【請求項１５】
トナー像を形成する作像部を有する画像形成ユニットと、該画像形成ユニットを支持して位置決めをおこなう構造体とを備えた画像形成装置おいて、
上記構造体は、上記作像部を支持する前側板と後側板と、横断面がコの字状でコの字の開放部が向き合うよう配置される一対の支柱と、該支柱を支持する、装置本体下部に設けられた支持部材とを備え、該前側板の両端を該支柱が位置決め支持するとともに、該支柱を該支持部材に固定することにより該作像部の位置決めを行うことを特徴とする画像形成装置。
【手続補正２】
【補正対象書類名】明細書
【補正対象項目名】００１２
【補正方法】変更
【補正の内容】
【００１２】
上記目的を達成するために、請求項１の発明は、画像形成ユニットの作像部を支持する前側板と後側板と、横断面がコの字状でコの字の開放部が向き合うよう配置される一対の支柱と、該支柱を支持する、装置本体下部に設けられた支持部材とを備え、該支柱により該前側板の両端を位置決め支持するとともに、該支柱を介して該前側板を該支持部材に固定することにより該作像部を位置決めするものである。
また、請求項２の発明は、請求項１の構造体において、上記前側板の端部を上記支柱の該前側板と平行な面と垂直な面とから固定することを特徴とするものである。
また、請求項３の発明は、請求項２の構造体において、上記前側板は外周がフランジ絞りされており、上記支柱の該前側板と垂直な面を該フランジ絞りの側壁部に固定することを特徴とするものである。
また、請求項４の発明は、請求項３の構造体において、上記支柱のコの字状の断面積が、上記前側板の支持部より上記支持部材への固定部近傍で大きくなるよう構成したことを特徴とするものである。
また、請求項５の発明は、請求項４の構造体において、上記支柱が上記前側板の両端部を包み込むよう配置されることを特徴とするものである。
また、請求項６の発明は、請求項５の構造体において、装置本体を支持し、上記支柱の側面を通して引出し可能な取手を設け、該取手を引出して力をかける時に該支柱側面が支点となるよう該取手を配置したことを特徴とするものである。
また、請求項７の発明は、請求項５または６の構造体において、上記支柱の側面で外装の位置決めを行うことを特徴とするものである。
また、請求項８の発明は、請求項５、６または７の何れかの構造体において、上記支柱の前面で給紙トレイ前部の位置決めを行うことを特徴とするものである。
また、請求項９の発明は、請求項５、６、７または８の何れかの構造体において、上記支柱の前面で給紙トレイをスライドさせる給紙レールの位置決めを行うことを特徴とするものである。
また、請求項１０の発明は、請求項５、６、７、８または９の何れかの構造体において、上記支持部材上の、上記支柱のコの字状の開放部近傍にゴム足を設けることを特徴とするものである。
また、請求項１１の発明は、請求項５、６、７、８、９または１０の何れかの構造体において、上記支柱が上記支持部材に配設された支柱固定部材を介して締結されることを特徴とするものである。
また、請求項１２の発明は、請求項１１の構造体において、上記支柱固定部材は上記支持部材のゴム足を設ける穴の上部を覆っていることを特徴とするものである。
また、請求項１３の発明は、請求項１、２、３、４、５、６、７、８、９、１０、１１または１２の何れかの構造体において、上記支持部材は上記後側板を支持することを特徴とするものである。
また、請求項１４の発明は、請求項１、２、３、４、５、６、７、８、９、１０、１１、１２または１３の何れかの構造体において、上記支持部材は装置本体ベースであることを特徴とするものである。
また、請求項１５の発明は、トナー像を形成する作像部を有する画像形成ユニットと、該画像形成ユニットを支持して位置決めをおこなう構造体とを備えた画像形成装置おいて、上記構造体は、上記作像部を支持する前側板と後側板と、横断面がコの字状でコの字の開放部が向き合うよう配置される一対の支柱と、該支柱を支持する、装置本体下部に設けられた支持部材とを備え、該前側板の両端を該支柱が位置決め支持するとともに、該支柱を該支持部材に固定することにより該作像部の位置決めを行うことを特徴とするものである。
【手続補正３】
【補正対象書類名】明細書
【補正対象項目名】００１３
【補正方法】変更
【補正の内容】
【００１３】
本発明においては、支柱のコの字の開放部内側の、前側板と平行な面と垂直な面とに前側板の端部を突き当てて位置決めを行うことができる。これは、コの字状で開放部が向き合わない配置の支柱や口の字状の支柱を用いて、前側板と平行な面のみで位置決めを行う場合に比べ、位置決め精度が向上する。よって、上記支柱により、前側板に支持される作像部を精度良く位置決めすることができる。
また、作像部を支持する前側板を上記支柱を介して装置本体下部に設けられた支持部材に固定する構造であるため、前側の剛性を向上させることができる。また、前側板を装置本体下部に設けられた支持部材まで延伸して直接この支持部材に固定する必要が無いため、前側板の小型化が可能であり、前側板自体の剛性の向上させることができる。よって、設置場所が平らでない場合でも優れた保形性を有することができる。
また、前側板が小型化できることにより、前側板自体の部品精度の向上、及び、コストダウンを図ることができる。
また、コの字の支柱を用いるので、口の字状の支柱に比べ溶接等が必要なく、コストダウンを図ることができる。